(57)【要約】 【課題】  簡単な構造で引っ掛かり等がなく確実にスパウトやシャワーヘッドの高さ位置を固定できる構造を提供する。【解決手段】  止め輪３３は略楕円形状で最短径となる部分の一方に開口を有するＣ型リング形状とし、更に開口された先端は折曲部３４，３４を有し、縦方向溝３２に折曲部３４，３４が嵌り込んでいる。支持管１９（スパウト２０）が下がった状態から支持管１９を上昇させると、止め輪３３の周方向溝部３１から食み出た部分（長径部分）が台座１２の雌テーパ面１７に当たり、更に支持管１９を上昇させると雌テーパ面１７によって止め輪３３が縮径され、更に上昇して係止段部１６を乗り越えると、止め輪３３は自らの弾発力で拡径し、周方向溝部３１に係止して高さ位置が固定される。【選択図】        図２
2006257709.tif 000002
【特許請求の範囲】
【請求項１】
カウンターに台座が固定され、この台座内にスパウト或いはシャワーヘッドを上端部で支持する支持管が昇降自在に配置された吐水装置の前記支持管を所定の高さ位置で固定する構造であって、前記支持管の下端部には継手が取り付けられ、この継手の外周面には周方向溝部が設けられ、この周方向溝部には止め輪が装着され、この止め輪は装着状態で一部が前記周方向溝部から突出する形状をなし、更に前記台座の内周面には前記止め輪が径方向外側に拡開することで係止する段部が形成されていることを特徴とする高さ固定構造。
【請求項２】
請求項１に記載の高さ固定構造において、前記止め輪の最短径寸法は装着状態で止め輪の最短径の部分が前記溝部に当接する寸法としたことを特徴とする高さ固定構造。
【請求項３】
請求項１に記載の高さ固定構造において、前記止め輪は最短径となる部分の一方に開口を有するＣ型リング形状をなすことを特徴とする高さ固定構造。
【請求項４】
請求項３に記載の高さ固定構造において、前記止め輪は前記開口を形成する箇所を上下方向の折曲部とし、また前記継手には周方向溝部に連続して前記折曲部が嵌り込む上下方向溝部が形成されていることを特徴とする高さ固定構造。
【発明の詳細な説明】
【技術分野】
【０００１】
本発明は、吐水装置のスパウトやシャワーヘッドを支持する支持管の高さを所定の位置に固定可能とした高さ固定構造に関する。
【背景技術】
【０００２】
吐水装置のスパウトやシャワーヘッドの高さ位置を切り替えることで、使い勝手を良くしたキッチンや洗面化粧台が、特許文献１〜４に提案されている。尚、各特許文献の説明においては、分かりやすくするため部材名を本願明細書に用いる部材名に統一して説明する。
【０００３】
特許文献１に開示される固定構造は、カウンターに台座を取り付け、この台座にシャワーヘッドを支持する支持管を上下方向に摺動自在に保持するとともに、支持管に周方向の凹部を設け、一方、前記台座には径方向内方に付勢されるスチールボールを設け、支持管を上昇させてゆく途中でスチールボールが前記凹部に嵌り込むことで支持管を所定の高さ位置で固定するようにしている。
【０００４】
特許文献２に開示される固定構造は、台座に上下方向のガイドスリットを設け、このガイドスリットの側面に凹部を形成し、一方、前記台座内を上下方向に摺動する支持管に前記ガイドスリット内に入り込む凸部を設け、この凸部に外側に湾曲した板バネを取り付け、支持管を上昇させた際に前記板バネが凹部に嵌り込むことで支持管を所定の高さ位置で止めるようにしている。
【０００５】
特許文献３に開示される固定構造は、支持管には特許文献1と同様に周方向に沿って溝部を設け、一方、台座側には支持管の外周を抱持する環状部材を設け、この環状部材の一部を径方向内方に付勢される樹脂性弾性部とし、前記支持管を上昇させた際に前記樹脂性弾性部が溝部に嵌り込むことで支持管が所定の高さ位置で止まるようにしている。
【０００６】
特許文献４に開示される固定構造は、支持管の外周面に突起を設け、一方、台座側の部材の下端には下方に延びる弾性片を設け、支持管を所定の高さ位置まで上昇させると、前記弾性片が前記突起に係止することで、支持管が所定の高さ位置で止まるようにしている。
【特許文献１】実開昭６４−４２３６７号公報
【特許文献２】特開平７−３２４３５７号公報
【特許文献３】特開平１１−１４８１５５号公報
【特許文献４】特開平１１−１５８９５４号公報
【発明の開示】
【発明が解決しようとする課題】
【０００７】
特許文献１に開示されるスチールボールを用いた固定構造にあっては、スチールボールとスチールボールを付勢するスプリングを収納するスペースが必要になり、構造が大きくなり複雑になる。また、固定するには強い力でスチールボールを付勢しなければならず、逆に強い力で押し付けると昇降操作の際の抵抗が大きくなる。
【０００８】
特許文献２に開示される板バネを用いた固定構造にあっては、バランスをとるには２枚の板バネが必要になり、更に特許文献１と同様に確実に固定するには板バネの力を強くしなければならず、強い板バネを使用すると昇降操作の際の抵抗が大きくなる。更に昇降ストロークに合わせて台座下も長くする必要があり、板バネが係止する溝部も形成しなければならず構造が大きく複雑になる。
【０００９】
特許文献３に開示される樹脂性弾性部を用いた固定構造にあっては、樹脂の摩耗や削れによって固定力にバラツキが生じやすく、また支持管に溝部を形成するためシャワーヘッドの上昇時に溝部が露出してしまい外観性が悪くなる。
【００１０】
特許文献４に開示される弾性片を用いた固定構造にあっては、弾性片を成形によって作製するため、作り込み段階での固定力の調整が難しく、樹脂のため摩耗や削れ、折れが生じやすく、また複数箇所に設けて多段固定にすることもできない。
【課題を解決するための手段】
【００１１】
上記課題を解決するため本発明は、カウンターに台座が固定され、この台座内にスパウト或いはシャワーヘッドを上端部で支持する支持管が昇降自在に配置された吐水装置の前記支持管を所定の高さ位置で固定する構造であって、前記支持管の下端部には継手が取り付けられ、この継手の外周面には周方向溝部が設けられ、この周方向溝部には止め輪が装着され、この止め輪は装着状態で一部が前記周方向溝部から突出する形状をなし、更に前記台座の内周面には前記止め輪が径方向外側に拡開することで係止する段部が形成された構成とした。
【００１２】
上記構成によれば、止め輪は１本で足りるためスチールボールや板バネを用いた場合よりも構造が簡略化でき、またスチールボールや板バネに比べて係止部が小さくてよいため、支持管を昇降動する際の抵抗を小さくしつつ確実に所定の高さで固定することができる。
【００１３】
また、前記止め輪の最短径寸法は装着状態で止め輪の最短径の部分が前記溝部に当接する寸法とすれば、最短径方向のガタつきを防止することができる。
【００１４】
更に前記止め輪の開口に上下方向の折曲部を形成し、一方、前記継手には周方向溝部に連続して前記折曲部が嵌り込む上下方向溝部を形成することで、長径方向のガタつきの防止できる。
【発明の効果】
【００１５】
本発明に係る高さ固定構造によれば、部品点数を少なくして確実にスパウト或いはシャワーヘッドを支持する支持管を所定の高さ位置で固定することができる。
また、略楕円形状とし、止め輪の開口に上下方向の折曲部を形成したことで、単なるＣ型形状の止め輪に比べて確実にガタを低減できる。
また、止め輪の弾発力は大きくしなくてもよいので、多段固定にした場合にも支持管を昇降動させる際の抵抗が少なく、昇降操作に支障をきたさない。
【発明を実施するための最良の形態】
【００１６】
以下に本発明の実施の態様を添付図面に基づいて説明する。図１は本発明に係る高さ固定構造を適用した吐水装置の全体図、図２は同高さ固定構造の上昇位置状態の断面図、図３は同高さ固定構造の下降位置状態の断面図、図４は継手に止め輪を装着した状態を示す図、図５は図４のＡ−Ａ線断面図、図６は止め輪の斜視図である。
【００１７】
吐水装置はカウンター（天板）１に湯水混合水栓２と吐水ユニット１０を備えている。
湯水混合水栓２は湯供給管３、水供給管４、湯と水の混合割合を調整するとともに混合湯水の供給のオン・オフを行うハンドル５及び吐水ユニット１０へ混合湯水を供給するフレキシブル管６からなる。
【００１８】
吐水ユニット１０はカウンター（天板）１に取付孔１１が形成され、この取付孔１１に上方から台座１２を挿入して固定している。即ち、台座１２は上端にフランジ部１２ａを有し、外周に雄ネジ部１２ｂが形成されており、取付孔１１の上部外周に嵌め込んだパッキン１３上に前記フランジ部１２ａの下面が当接するように取付孔１１に台座１２を挿入し、下方からパッキン１４を介してナット１５を前記雄ネジ部１２ｂに螺合して締付けることで、台座１２が固定される。
【００１９】
また台座１２の内周面の下部には周方向に係止段部１６が形成され、この係止段部１６よりも下側には下方に向かって徐々に拡径する雌テーパ面１７が形成され、更に雌テーパ面１７よりも更に下方には凹凸部１８が形成されている。
【００２０】
前記台座１２内には支持管１９が挿通している。この支持管１９の上端部にはスパウト２０が取り付けられ、スパウト２０の先端下面には吐水口２１が設けられている。また、支持管１９内には前記フレキシブル管６に接続された通水管２２が配置され、この通水管２２は前記吐水口２１につながっている。
【００２１】
また、前記台座１２は台座キャップ２３（図１参照）でカバーされ、この台座キャップ２３には前記支持管１９の外周面を抱持するガイド筒２４が設けられ、支持管１９はガイド筒２４の内周面に摺接しつつ昇降動可能とされている。
【００２２】
一方、前記支持管１９の下端には略筒状をなす継手２５が取り付けられている。この継手２５には上方に向かって２本のフィンガー部２６が延出され、このフィンガー部２６の先端部に外側に向かって突出する係止部２７が形成され、この係止部２７が前記支持管１９の下端に形成した孔１９ａに内側から係止することで支持管１９の下端に継手２５が取り付けられる。
【００２３】
また継手２５の下端にはスパウト２０が上昇した際に前記台座１２の凹凸部１８に係合して水平方向の回動を阻止する凸部２８が形成されている。
【００２４】
前記支持管１９の内側には筒状をなす抜止め部材２９が設けられている。この抜止め部材２９は上端部に拡径部３０を備え、外周部に雄ネジ部２９ａを形成している。而して、継手２５の内周面に形成した雌ネジ部２５ａに前記抜止め部材２９の雄ネジ部２９ａを螺合し、抜止め部材２９を下げることで拡径部３０が前記継手２５の係止部２７に内側から当接し、係止部２７が孔１９ａから外れるのを阻止している。
【００２５】
一方、前記継手２５の外周面には周方向溝部３１が形成され、この周方向溝部３１に連続して縦方向溝部３２が形成されている。そして、周方向溝部３１には止め輪３３が取り付けられている。
【００２６】
この止め輪３３は略楕円形をなすＣ型スプリングであり、周方向溝部３１に装着状態において、楕円の長径方向となる部分は周方向溝部３１から径方向外側に突出している。突出量としては止め輪３３を構成する線材の直径の半分程度とする。
【００２７】
また、止め輪３３は楕円の短径方向の一方に開口を有している。このＣ型の開口端部から上下方向の折曲部３４，３４が延び、これら折曲部３４，３４が前記縦方向溝部３２に嵌り込んでいる。
【００２８】
前記略楕円形をなす止め輪３３の最短径寸法Ｗ１は前記周方向溝部３１の底辺の径寸法Ｒ１よりも小さく設定し、止め輪３３を周方向溝部３１に装着した状態で、止め輪３３の最短径部分が周方向溝部３１の底辺に当接するようにしている。このことと、前記した折曲部３４，３４が前記縦方向溝部３２に嵌り込んでいることにより、支持管１９が昇降動する際に水平方向にガタつきが生じることがない。
【００２９】
以上において、支持管１９（スパウト２０）が下がった状態、即ち図３に示す状態から支持管１９を上昇させると、止め輪３３の周方向溝部３１から食み出た部分（長径部分）が台座１２の雌テーパ面１７に当たり、更に支持管１９を上昇させると雌テーパ面１７によって止め輪３３が縮径され、更に上昇して係止段部１６を乗り越えると、止め輪３３は自らの弾発力で拡径し、図２に示すように、周方向溝部３１に係止して高さ位置が固定される。
【００３０】
上記の状態から、スパウト２０をある程度の力で下方に押すと、止め輪３３には周方向溝部３１から食み出ていない部分（短径部分）が存在するため、徐々に止め輪３３は縮径されて止め輪３３全体が周方向溝部３１内に収まり、係止状態が解除され、支持管１９は下方に移動する。
【００３１】
図７は止め輪の別実施例を示す図であり、この実施例では止め輪３３の周方向の対向する２箇所に外側への膨出部３３ａを設け、この膨出部３３ａを台座の内周面に形成された段部１６に係合させて高さ方向の固定を行うようにしている。このように、止め輪３３の形状は単純な楕円に限らず、一部を突出させたものでもよい。
【００３２】
尚、実施例ではキッチンのスパウトを昇降させる例を示したが、本発明に係る固定構造は引き出し式シャワーヘッドのスパウトの収納固定等にも適用できる。
【産業上の利用可能性】
【００３３】
本発明に係る高さ固定構造は、キッチンや洗い場においてスパウトやシャワーヘッドを所定の高さ位置に一時的に固定する際に利用することができる。
【図面の簡単な説明】
【００３４】
【図１】本発明に係る高さ固定構造を適用した吐水装置の全体図
【図２】同高さ固定構造の上昇位置状態の断面図
【図３】同高さ固定構造の下降位置状態の断面図
【図４】継手に止め輪を装着した状態を示す図
【図５】図４のＡ−Ａ線断面図
【図６】止め輪の斜視図
【図７】止め輪の別実施例を示す図
【符号の説明】
【００３５】
１…カウンター（天板）、２…湯水混合水栓、３…湯供給管、４…水供給管、５…ハンドル、６…フレキシブル管、１０…吐水ユニット、１１…取付孔、１２…台座、１２ａ…フランジ部、１２ｂ…雄ネジ部、１３，１４…パッキン、１５…ナット、１６…係止段部、１７…雌テーパ面、１８…凹凸部、１９…支持管、１９ａ…孔、２０…スパウト、２１…吐水口、２２…通水管、２３…台座キャップ、２４…ガイド筒、２５…継手、２５ａ…雌ネジ部、２６…フィンガー部、２７…係止部、２８…凸部、２９…抜止め部材、２９ａ…雄ネジ部、３０…拡径部、３１…周方向溝部、３２…縦方向溝部、３３…止め輪、３４…折曲部。
【図１】
2006257709.tif 000003
【図２】
2006257709.tif 000004
【図３】
2006257709.tif 000005
【図４】
2006257709.tif 000006
【図５】
2006257709.tif 000007
【図６】
2006257709.tif 000008
【図７】
2006257709.tif 000009